(57)【要約】【課題】アース接続等の煩雑な作業を行うことなく、簡単な方法及び構成で特定すべき光ドロップケーブルを素早く識別することができる光ドロップケーブルの識別システムを提供する。【解決手段】光クロージャ３２からそれぞれ加入者宅３６まで布設された複数の光ドロップケーブル３８の識別システムにおいて、調査対象の加入者宅３６まで布設された光ドロップケーブル３８の支持線に印加されたパルス電圧を検知するパルス電圧検知装置１８と、光ドロップケーブル３８の支持線の光クロージャ３２内の端部側から光ドロップケーブル１本ずつにパルス電圧を付与するパルス電圧付与装置１２と、パルス電圧付与装置１２で付与されたパルス電圧を調査対象の加入者宅３６側で検知したときに、加入者宅３６側とパルス電圧付与側との間でパルス電圧を検知した旨の信号を送受信する検知信号送受信機２０、２２とを有する。【選択図】図１
0003162313.tif 000002
【実用新案登録請求の範囲】
【請求項１】
光クロージャからそれぞれ加入者宅まで布設され、光ファイバケーブルの吊下及び補強のために該光ファイバケーブルに沿って配された支持線を有する複数の光ドロップケーブルの識別システムおいて、
調査対象の加入者宅側で、該加入者宅まで布設された前記光ドロップケーブルの支持線に印加されたパルス電圧を検知するパルス電圧検知装置と、
前記光ドロップケーブルの支持線の前記光クロージャ内の端部側から前記光ドロップケーブル１本ずつにパルス電圧を付与するパルス電圧付与装置と、
前記パルス電圧付与装置で付与されたパルス電圧を前記調査対象の加入者宅側で検知したときに、前記加入者宅側と前記パルス電圧付与側との間で前記パルス電圧を検知した旨の信号を送受信する検知信号送受信機と、
を有することを特徴とする光ドロップケーブルの識別システム。
【請求項２】
前記パルス電圧付与装置は、
前記光ドロップケーブル１本ずつにパルス電圧を付与する切換器を有することを特徴とする請求項１に記載の光ドロップケーブル識別システム。
【請求項３】
前記パルス電圧は、圧電素子又は昇圧回路から発生される高電圧を用いて生成されることを特徴とする請求項１又は２の何れか１項に記載の光ドロップケーブルの識別システム。
【考案の詳細な説明】
【技術分野】
【０００１】
本考案は、光ドロップケーブルの識別システム、特に、電柱の近傍又は電柱間に取り付けられた光クロージャから加入者宅まで布設された光ドロップケーブルの識別システムに関する。
【背景技術】
【０００２】
光ファイバケーブルを用いたブロードバンドサービスを実現するためには、光ファイバケーブルを各中継局から各家庭（加入者宅）まで布設する必要がある。各家庭へは、中継局等から布設されてきた光ファイバケーブルを、電柱の近傍又は電柱間に取り付けられた光クロージャ内で最大で８分岐した後に、いわゆる光ドロップケーブルを用いて布設される。すなわち、光クロージャ内には光分岐器等が設置されており、中継局等から布設されてきた光ファイバケーブルがこの光分岐器等で分岐され、光クロージャと各家庭の間は光ドロップケーブルを用いて布設される。
【０００３】
図８は、光ドロップケーブルが各家庭に布設されている様子を説明する概略説明図である。前述のように、中継局等から布設されてきた光ファイバケーブル５０は、電柱３４の近傍に取り付けられた光クロージャ３２内で、光分岐器等により最大８分岐され、光クロージャ３２と各家庭３６の間は光ドロップケーブル３８を用いて布設される。なお、光クロージャ３２は電柱３４間に架設された吊り線３３により電柱３４の近傍に取り付けられており、また各家庭３６内には、図示していないが、光信号を送受信するためのＯＮＵ（Optical Network Unit）等が設置されている。また、光クロージャ３２は、電柱３４の近傍ではなく、電柱間に取り付けられる場合もある。
【０００４】
図９は、上述の光ドロップケーブル３８の概略断面図を示す。ただし、光ドロップケーブルの一例について示している。光ドロップケーブル３８は、支持線部４０と光ケーブル部４４を有する。光ケーブル部４４は、光ファイバ心線４４ａと、この光ファイバ心線４４ａに２本のテンションメンバ４４ｂが並行に配置され、これらの外側に外被４４ｃが施された構成になっている。支持線部４０は、円形断面の支持線４２と、この支持線４２に外被４４ｃが施された構成になっている。ただし、外被４４ｃは、支持線部４０と光ケーブル部４４において一括に被覆されており、支持線部４０と光ケーブル部４４とは、連結部４６により連結されている。また、光ケーブル部４４の外側には必要に応じてノッチ部４８が形成されている。ここで、支持線部４０の支持線４２は一般に、導電性のある鋼線により構成されており、光ケーブル部４４を吊り下げ及び補強する構成になっている。
【０００５】
ここで、特定の加入者宅において、光信号の送受信に不具合が発生した場合、１台の光クロージャから分岐された８本の光ドロップケーブルの内のどの光ドロップケーブルがその不具合が発生した特定の加入者宅に布設されているかを識別する必要がある。すなわち、不具合が発生した場合には、不具合に係る光ドロップケーブルを特定することが急務であり、特定した後に不具合箇所の修理若しくは不具合部品の交換が可能となる。
【０００６】
このような光ドロップケーブルを含めた光ファイバケーブルの識別方法としては、以下の識別方法を挙げることができる。まず、特許文献１、２に開示されている識別方法は、光ファイバケーブルに超音波振動を加え、検光子を介して光出力の変動を測定するものである。すなわち、光ファイバケーブルに超音波振動を加えると、伝送されている信号光の偏光状態が変化するので、出力端で検光子を介して測定される信号光の光電力は変化することとなる。したがって、この物理現象を利用して、超音波振動を加えた場合に光出力が変動する光ファイバケーブルを目的とする光ファイバケーブルとするものである。
【０００７】
特許文献３に開示されている識別方法は、光ドロップケーブルの支持線が導電性のある鋼線であることから、この支持線の電気的な導通を検索することにより、特定の光ドロップケーブルを識別するものである。ただし、この場合、専用のアース機器を用いて電気的な閉回路を構成する必要がある。
【０００８】
更に、その他の識別方法として特許文献４を挙げることができる。この識別方法によれば、伝送ケーブルの導電性のテンションメンバの両端が、それぞれ別のクロージャ内の導電性の接続板を介して導電性のメッセンジャワイヤに接続されている多条架設伝送ケーブルにおいて、クロージャの近傍で特定の伝送ケーブルに印加用クランプ手段により交流電圧を印加してテンションメンバ中に交流電流を誘導する一方、交流電圧の印加位置から離れた位置で測定用クランプ手段により任意の伝送ケーブルのテンションメンバを流れる電流を測定し、測定された電流値に基づき、測定用クランプ手段によりクランプされた伝送ケーブルを特定の伝送ケーブルと判断するものである。
【先行技術文献】
【特許文献】
【０００９】
【特許文献１】特許第２５６６００４号公報
【特許文献２】特許第２７２１２５１号公報
【特許文献３】特開２００６−８４９８６号公報
【特許文献４】特開２００６−１６６５４５号公報
【考案の概要】
【考案が解決しようとする課題】
【００１０】
上記の特許文献１、２の識別方法は、光ファイバケーブルに超音波振動を加えて、光ファイバケーブル内を伝搬する信号光の偏光状態を測定するものであるから、超音波発生装置、光源及び偏光状態解析器を含む光学系装置等の大掛かりな装置が必要となり、屋外で使用される光ドロップケーブルに上述の装置を設置することは非常に煩雑であり実際的ではない。
【００１１】
また、上記の特許文献３の電気的な導通を利用する方法は、基本的に光クロージャ側及び加入者宅側の双方でアース接続できないと電気的な閉回路が構成されないため、雑音等の影響を受けて特定の光ドロップケーブルを識別することは不可能である。すなわち、特許文献３の方法においてはアース接続が必須となる。通常、光クロージャ側でアース接続が可能であるとしても、加入者宅側でアース接続ができない場合が多い。例えば、加入者宅が高層マンション等の高い場所に位置している場合は、専用のアース機器を用いてアース接続することは不可能ではないが非常に煩雑な作業を要することとなる。
【００１２】
更に、上記の特許文献４の識別方法では、導電性のメッセンジャワイヤと伝送ケーブル内の導電性のテンションメンバとを、クロージャ内の接続板を利用して電気的な閉回路を構成しなければならず、この方法を光ドロップケーブルに適用することは不可能である。すなわち、光ドロップケーブルは、光クロージャから各家庭までそれぞれ分岐して布設されるので、特許文献４の導電性のメッセンジャワイヤに相当するものがない。
【００１３】
本考案は、上記課題に鑑みてなされたものであり、その目的は、アース接続等の煩雑な作業を行うことなく、簡単な方法及び構成で特定すべき光ドロップケーブルを素早く識別することができる光ドロップケーブルの識別システムを提供することにある。
【課題を解決するための手段】
【００１４】
上記目的を達成するため、請求項１に記載の光ドロップケーブルの識別システムは、
光クロージャからそれぞれ加入者宅まで布設され、光ファイバケーブルの吊下及び補強のために該光ファイバケーブルに沿って配された支持線を有する複数の光ドロップケーブルの識別システムおいて、
調査対象の加入者宅側で、該加入者宅まで布設された前記光ドロップケーブルの支持線に印加されたパルス電圧を検知するパルス電圧検知装置と、前記光ドロップケーブルの支持線の前記光クロージャ内の端部側から前記光ドロップケーブル１本ずつにパルス電圧を付与するパルス電圧付与装置と、前記パルス電圧付与装置で付与されたパルス電圧を前記調査対象の加入者宅側で検知したときに、前記加入者宅側と前記パルス電圧付与側との間で前記パルス電圧を検知した旨の信号を送受信する検知信号送受信機と、を有することを特徴とする。
【００１５】
この構成により、光クロージャ内の端部側から、光ドロップケーブルの支持線にパルス電圧付与装置により１本ずつ付与されたパルス電圧が、調査対象の加入者宅側においてパルス電圧検知装置により検知され、その検知した旨が調査対象の加入者宅側からパルス電圧付与側に検知信号送受機により送信される。これにより、パルス電圧付与側では、検知信号受信機により検知した旨の信号を受信することができる。したがって、目的とする支持線にパルス電圧が印加されると直ちに通知されるので、作業者は今パルス電圧を印加した支持線が、目的とする支持線若しくは光ドロップケーブルであることを、誤認識することなく直ちに認識することができる。したがって、非常に簡単かつ安価な構成で、迅速かつ確実に光ドロップケーブルを識別することが可能である。
【００１６】
請求項２に記載の光ドロップケーブルの識別システムは、請求項１に記載の光ドロップケーブルの識別システムにおいて、前記パルス電圧付与装置は、前記光ドロップケーブル１本ずつにパルス電圧を付与する切換器を有することを特徴とする。したがって、光ドロップケーブルにパルス電圧を付与する作業が容易となり、識別作業の効率が向上することとなる。
【００１７】
請求項３に記載の光ドロップケーブルの識別システムは、請求項１又は２の何れか１項に記載の光ドロップケーブルの識別システムにおいて、前記パルス電圧は、圧電素子又は昇圧回路から発生される高電圧を用いて生成されることを特徴とする。したがって、特段に複雑な回路を構成することなく、パルス電圧を簡単かつ安価に生成できる。
【考案の効果】
【００１８】
本考案の光ドロップケーブルの識別システムによれば、支持線にパルス電圧を付与し、導電性の支持線を介してこの付与されたパルス電圧を検知することで光ドロップケーブルを識別するように構成したので、簡単かつ安価な方法及び構成で調査対象の光ドロップケーブルを識別することが可能である。また、アース接続等の煩雑な回路を構成する必要はなく、検知信号送受信機を備えているので、光ドロップケーブルの識別作業を一人で行うことが可能であり、光ドロップケーブルの保守・管理が一層容易となる。
【図面の簡単な説明】
【００１９】
【図１】本考案の光ドロップケーブルの識別システムの第１の実施の形態に係る概略構成図である。
【図２】本考案の光ドロップケーブルの識別システムの第１の実施の形態で用いるコンタクトクリップに係り、同図（ａ）は概略平面図、同図（ｂ）は概略側面図、同図（ｃ）は概略正面図であり、同図（ｄ）はコンタクトクリプを開いたときの概略側面図である。
【図３】本考案の光ドロップケーブルの識別システムの第１の実施の形態で用いるパルス電圧付与装置の概略平面図（同図（ａ））及び概略斜視図（同図（ｂ））である。ただし、上蓋は開いている状態を示す。
【図４】本考案の光ドロップケーブルの識別システムの第１の実施の形態で用いる切換器の概略平面図である。
【図５】本考案の光ドロップケーブルの識別システムの第１の実施の形態で用いるパルス電圧検知装置及び検知信号送信機（同図（ａ））と検知信号受信機（同図（ｂ））のブロック構成図である。
【図６】本考案の光ドロップケーブルの識別システムの第２の実施の形態に係る概略構成図である。
【図７】本考案の光ドロップケーブルの識別システムの第２の実施の形態で用いるパルス電圧受電部の概略正面図（同図（ａ））、概略側面図（同図（ｂ））及び概略背面図（同図（ｃ））である。
【図８】光ドロップケーブルの布設状況を示す説明図である。
【図９】光ドロップケーブルの断面構成図である。
【考案を実施するための形態】
【００２０】
（第１の実施の形態）
本考案の実施の形態について、以下、図面を参照しながら詳述する。図１は、本考案の光ドロップケーブルの識別システムの第１の実施の形態に係る概略構成図である。
【００２１】
光ドロップケーブルの識別システム１０は、光ドロップケーブル３８に作業者５２がパルス電圧を付与するパルス電圧付与装置１２と、導電性の支持線を介してパルス電圧を検知するパルス電圧検知装置１８とを有する。パルス電圧付与装置１２及びパルス電圧検知装置１８は、光ドロップケーブル３８の支持線とそれぞれコンタクトクリップ１４及び導線１６を用いて電気的に接続状態とされる。なお、本実施の形態では、パルス電圧付与装置１２の後段に切換器１３を接続して光ドロップケーブル３８の支持線にパルス電圧を付与する作業を容易にした。
【００２２】
パルス電圧を検知した旨の信号、すなわち検知信号は、検知信号送信機２０により加入者宅側からパルス電圧付与側に送信される。送信された検知信号は、パルス電圧付与側において検知信号受信機２２により受信される。以下、本考案の光ドロップケーブルの識別システムにおける各作業工程と各構成要素について詳述する。
【００２３】
（加入者宅側準備工程）
光信号の送受信に不具合が発生している加入者宅３６において、布設されている光ドロップケーブル３８の端部にパルス電圧検知装置１８を設置する。パルス電圧検知装置１８の後段には検知信号送信機２０を接続する。前述のように、パルス電圧検知装置１８の入力端には導線１６の一端が接続されており、導線１６の他端にはコンタクトクリップ１４が接続されている。このコンタクトクリップ１４により光ドロップケーブル３８を挟み込んだ時に、光ドロップケーブル３８の支持線と導線１６との導通が確立されるように構成されている。
【００２４】
図２は、コンタクトクリップの概略平面図（同図（ａ））、概略側面図（同図（ｂ））及び概略正面図（同図（ｃ））を示す。同図（ｄ）はコンタククリップの挟持部が開いている状態を示す概略側面図である。コンタクトクリップ１４は、一対の操作端部１４ａ−１、１４ａ−２を有する操作部１４ａと、一対の挟持端部１４ｂ−１、１４ｂ−２を有する挟持部１４ｂとがクリップ軸１４ｄにより軸支され、一対の操作端部１４ａ−１、１４ａ−２を互いに接近する方向へ操作すると、一対の挟持端部１４ｂ−１、１４ｂ−２が互いに離反する方向に動くように構成されている。また、一対の操作端部１４ａ−１、１４ａ−２は、互いに離反する方向にバネ１４ｃにより付勢されており、通常では挟持部１４ｂは閉じている。挟持部１４ｂを開き、光ドロップケーブル３８を挟持させる場合は、一対の操作端部１４ａ−１、１４ａ−２をバネ１４ｃの付勢力に抗して互いに近づく方向に操作すると、一対の挟持端部１４ｂ−１、１４ｂ−２が開動作する（図２（ｄ）参照）。
【００２５】
挟持部１４ｂには光ドロップケーブル３８を係止する溝部１４ｆが形成されており、この溝部１４ｆに光ドロップケーブル３８が係止され、バネ１４ｃの付勢力により光ドロップケーブル３８が挟持部１４ｂに挟持されると、光ドロップケーブル３８の外被４４ｃに刃１４ｅが食い込み、導電性の支持線４２と刃１４ｅが電気的に接続されるように構成されている（図２及び図８参照）。この刃１４ｅには図示していない導線１６が接続され、導線１６はパルス電圧検知装置１８の入力端に接続されている。なお、上記のコンタクトクリップ１４を使用せず、替わりに蓑虫クリップ、鰐口クリップ等を用いても良い。ただし、この場合には、光ドロップケーブル３８の外被４４ｃを剥ぎ取る作業が必要となる。
【００２６】
（パルス電圧付与工程）
光クロージャ３２において、作業者５２が光ドロップケーブル３８にコンタクトクリップ１４を取り付け、パルス電圧付与装置１２により光ドロップケーブル３８の支持線に１本１本ずつパルス電圧を付与して行く。
【００２７】
図３は、パルス電圧付与装置の概略平面図（同図（ａ））と概略斜視図（同図（ｂ））を示す。図３（ａ）、（ｂ）とも上蓋を取り除いて示している。パルス付与装置１２は、全体がシールドケース１２ｇで覆われており、圧電素子１２ａと抵抗器１２ｆとパルス電圧出力端子１２ｃとグランド端子１２ｄを有する。圧電素子１２ａは、ノブ１２ｂを押し下げると圧電素子１２ａに衝撃荷重が加えられてパルス電圧が発生するように構成されている。発生したパルス電圧は、抵抗１２ｆを用いて電圧及び波形等の調整が為され、適切なパルス電圧となる。この生成されたパルス電圧は、パルス電圧出力端子１２ｃから後述する切換器１３に入力される。なお、グランド端子１２ｄは、圧電素子１２ａの底面金属部に接続されている。
【００２８】
パルス付与装置１２は、全体がシールドケース１２ｇで覆われているので、雑音等が発生して光ドロップケーブルの識別に影響を与えることが防止される。なお、パルス電圧の生成に圧電素子を用いているが、圧電素子以外にも、例えば電池により昇圧回路を構成して、コンデンサに高電圧を蓄積し、この蓄積された高電圧によりパルス電圧を生成しても良い。
【００２９】
図４は、切換器の概略平面図である。切換器１５は、絶縁シールドされた筐体１５ａの内部にリレー回路等を有し、パルス入力端子１５ｂから入力されたパルス電圧は、切換ボタン１５ｅを押すことにより、８本の出力コード１５ｄに順次印加されるように構成されている。パルス入力端子１５ｂは、パルス電圧付与装置１２のパルス電圧出力端子１２ｃと接続コード１６ａを用いて接続される。切換器１５のグランド端子１５ｃは、パルス電圧付与装置１２のグランド端子１２ｄと接続コード１６ａを用いて接続される。
【００３０】
切換ボタン１５ｅを押すと、８本の出力コード１５ｄに順次、パルス電圧が印加され、パルス電圧が印加されない出力コードはグランド端子１５ｃと接続されるよう構成されている。すなわち、８本の出力コード１５ｄにおいて、その内の１本の出力コードにパルス電圧が印加され、残りの７本の出力コードは、圧電素子１２ａの底面金属部に接続される構成になっている。また、現在どの出力コードにパルス電圧が印加される設定になっているかが表示ランプ１５ｆで解るようになっている。すなわち、パルス電圧が印加されようとする出力コードの番号の発光ランプが点灯する構成になっている。なお、パルス電圧が印加されない出力コードを圧電素子の底面金属部に接続する構成を採用することにより、印加されるパルス電圧及び検知されるパルス電圧の安定化と、誘導現象による誤検出を軽減している。また、８本の出力コード１５ｄの先端にはそれぞれコンタクトクリップ１４が取り付けられており、それぞれのコンタクトクリップ１４は光クロージャ３２内で８本の光ドロップケーブル３８にそれぞれ取り付けられる。
【００３１】
（検知通知工程）
作業者５２が光クロージャ３２内の光ドロップケーブル３８に、パルス電圧付与装置１２によりパルス電圧を順次印加して行くと、パルス電圧検知装置１８が取り付けられた光ドロップケーブル３８にパルス電圧が付与された場合には、パルス電圧検知装置１８がその付与されたパルス電圧を検知し、検知した旨（検知信号）が加入者宅３６側から検知信号送信機２０により送信され、その検知信号はパルス電圧付与側の検知信号受信機２２で受信される。なお、作業者５２は検知信号受信機２２を携帯しているが、作業者５２の近傍に検知信号受信機２２を設置するようにしても良い。
【００３２】
検知信号受信機２２では、その検知信号を受信すると検知した旨を光又は音で報知する構成になっている。したがって、作業者５２が目的の光ドロップケーブルにパルス電圧を付与した時に、直ちにそのことが光又は音により報知されるので、光ドロップケーブル３８を誤認識することなく、容易かつ迅速に識別することができる。
【００３３】
図５（ａ）は、上述した検知通知工程で使用するパルス電圧検知装置と検知信号送信機のブロック構成図である。パルス電圧検知装置１８内では、導線１６とコンタクトクリップ１４とを伝わって入力されたパルス電圧が、アンプ１８ａにより増幅され、コンパレータ１８ｂにより閾値と比較される。そして、閾値よりも入力されたパルス電圧が大きい場合は、ラッチ回路１８ｃにより論理“１”の信号が生成される。
【００３４】
生成された論理“１”の検知信号は、検知信号送信機２０に入力される。検知信号送信機２０は、論理“１”の信号が入力されると、マイコン２０ａによりＬＥＤ２０ｂ又はブザー２０ｃが動作するように構成されている。そして、送信モジュール２０ｄにより論理“１”の信号が検知信号受信機２２へ送信される。一方、コンパレータ１８ｂにより閾値と比較され、閾値よりも入力されたパルス電圧が小さい場合には、ラッチ回路１８ｃにより論理“１”が生成されない。この場合は、検知信号送信機２０においてマイコン２０ａによるＬＥＤ２０ｂ又はブザー２０ｃ動作は行われず、また送信モジュール２０ｄによる送信も行われない。なお、通常は、パルス電圧検知装置１８と検知信号送信機２０は、一体に纏められた構成になっている。
【００３５】
なお、本考案の光ドロップケーブルの識別システムにおいては、アース回路は必要でない。これは支持線に付与されるパルス電圧が比較的高い電圧であるので、どの部分を仮想のアースと設定した場合でも、検知されるパルス電圧は雑音レベルよりも十分に高いため誤認識されることがないからである。したがって、アース回路を必要とせずに光ドロップケーブルを識別できる構成であるので、非常に使い勝手が良い。
【００３６】
図５（ｂ）は、検知通知工程で使用する検知信号受信機のブロック構成図である。検知信号受信機２２では、受信モジュール２２ａにより、論理“１”の検知信号を受信すると、マイコン２２ｂによりＬＥＤ２２ｃ又はブザー２２ｄが動作するように構成されている。この検知信号受信機２２は作業者が容易に携帯することが可能である。携帯せずに作業者の近傍に設置しても良い。したがって、作業者は光又は音により、検知信号受信機２２が論理“１”の検知信号を受信したことを容易に認識することができる。
【００３７】
（使用法）
ここで、本考案の光ドロップケーブルの識別システム１０の使用法を、図１を参照しながら詳述する。識別作業を行う作業者５２は１人である。まず、作業者５２は、光信号の送受信で不具合が発生している加入者宅３６に行き、光ドロップケーブル３８の加入者宅３６側の端部において、光ドロップケーブル３８に、パルス電圧検知装置１８の導線１６の先端に取り付けられたコンタクトクリップ１４を取り付ける（加入者宅側準備工程）。そして、検知信号送信機２０のスイッチを入れて検知信号送信機２０を動作状態とする。
【００３８】
次いで、作業者５２は、高所作業車等を用いて電柱３４近傍の光クロージャ３２に接近する。そして、作業者５２は検知信号受信機２２を携帯し、そのスイッチを入れて検知信号受信機２２を動作状態とする。次いで、作業者５２は、切換器１３から引き出されている８本の出力コード１５ｄのそれぞれ先端に取り付けられているコンタクトクリップ１４を、光ドロップケーブル３８の１本１本にそれぞれ取り付ける。そして、切換器１３の切換ボタン１５ｅによりパルス電圧を付与する支持線を選択し、パルス電圧付与装置１２のノブ１２ｂを操作して、パルス電圧を付与する。この操作を８本の光ドロップケーブル３８に対して１本ずつ行う（パルス電圧付与工程）。
【００３９】
パルス電圧検知装置１８が取り付けられている光ドロップケーブル３８の支持線にパルス電圧が付与されたときには、パルス電圧検知装置１８がそのパルス電圧を検知し、検知信号送信機２０が検知したことを光又は音で知らせると共に、論理“１”の検知信号を検知信号受信機２２に送信する（検知通知工程）。検知信号受信機２２では、その信号を受信すると光又は音が発せられ、作業者５２は印加されたパルス電圧をパルス検知装置１８が検知したことを光又は音で認識することができる。パルス電圧検知装置１８が取り付けられていない光ドロップケーブル３８の支持線にパルス電圧が付与された場合には、この光ドロップケーブル３８にはパルス電圧検知装置１８が取り付けられていないので、光又は音による報知は一切為されない。したがって、目的とする光ドロップケーブル３８を間違うことなく容易に特定することができる。
【００４０】
このようにしてパルス電圧検知装置１８が取り付けられた光ドロップケーブル３８を特定した後は、その光ドロップケーブル３８の光ファイバ心線の断線を調べ、断線等しているならば光ドロップケーブル３８を張り替えることとなる。光ファイバ心線が断線等していない場合は、光クロージャ３２より加入者宅３６とは反対方向の上流側に不具合箇所があると推定することができる。
【００４１】
本考案の光ドロップケーブルの識別システムの特徴を纏めると、（１）手動操作で圧電素子に衝撃荷重を加え、発生したパルス電圧を支持線に印加する。（２）アース回路を構成しなくても光ドロップケーブルの識別は可能であり、誤識別することはない。（３）加入者宅側に検知信号送信機をセットし、その後、光クロージャ側で作業者が検知信号受信機とパルス電圧付与装置と切換器を携帯して行くことにより、識別作業は作業者一人で行うことが可能である。
【００４２】
したがって、本考案の光ドロップケーブルの識別システム１０によれば、簡単かつ安価な構成で、目的とする若しくは特定すべき光ドロップケーブル３８を素早く識別することが可能である。従来技術で述べたようなアース接続して電気的な閉回路を構成する煩雑な作業を必要としないので、識別作業は簡単であり、作業者が１人で素早くかつ安全に作業することが可能である。
【００４３】
（第２の実施の形態）
図６は、本考案の光ドロップケーブルの識別システムの第２の実施の形態に係る概略構成図である。
【００４４】
第１の実施の形態と比較して、光ドロップケーブルの識別方法は同じであるが、識別システムの一部の構成要素が異なる。異なる部分は、加入者宅側準備工程において設置するパルス電圧検知装置１８の前段に、別途、パルス電圧受電部６２を接続した構成になっている。すなわち、第１の実施の形態では、光ドロップケーブル３８の支持線４２に沿って伝搬してきたパルス電圧は、コンタクトクリップ１４、導線１６を介してパルス電圧検知装置１８に入力されるが、本実施の形態では、コンタクトクリップ１４は使用せず、支持線４２は直接にパルス電圧受電部６２に接触・固定され、パルス電圧はパルス電圧受電部６２内のＡＥセンサ７０で検知され、その検知信号がパルス電圧受電部６２の出力端子７４からパルス電圧検知装置１８に入力される構成になっている。その他の部分は、第１の実施の形態と同じである。
【００４５】
図７は、パルス電圧受電部６２の概略正面図（同図（ａ））と概略側面図（同図（ｂ））と概略背面図（同図）ｃ））を示す。略矩形状の本体ケース部６４に、一面を検知面とする略直方体形状のＡＥセンサ７０が収納され、支持線４２をクランプするトグルクランプ部７２が設けられている。本体ケース部６４の底部には薄板状の金属製のべース部６６が設けられている。
【００４６】
パルス電圧を検知するセンサは、ＡＥ（Acoustic Emission）センサ７０である。上述のように本体ケース部６４の底部には金属製のベース部６６が設けられており、このベース部６６の一部分に支持線４２が、トグルクランプ部７２のクランパ７２ｂにより、押圧接触して固定されるように構成されている。また、ベース部６６の他の部分は、ＡＥセンサ７０の検知面に接触しており、この接触が十分に行われるようにコイルスプリング６８によって一面を検知面とする略直方体形状のＡＥセンサ７０の検知面がベース部６６に付勢されている。
【００４７】
トグルクランプ部７２のクランパ７２ｂは、端部が軸支された２つのトグル７２ａを互いに離反する方向に操作すると、クランパ７２ｂが支持線４２をベース部６６に押さえ込むように構成されており、２つのトグル７２ａを互いに接近する方向に操作すると、クランパ７２ｂがベース部６６より離れ、支持線４２がベース部６６から開放されるように構成されている。図６（ｃ）ではトグル７２ａの操作方向を矢印１００で示している。
【００４８】
ＡＥセンサ７０のベース部６６へ押圧接触させる力はコイルスプリング６８の弾性力により調整可能であり、また、支持線４２をベース部６６に押圧接触させる力もトグルクランプ部７２により調整可能である。このように、１つの金属製のベース部６６にＡＥセンサ７０の検知面と、支持線４２とが押圧接触されるので、支持線４２を伝搬してきたパルス電圧は金属製のベース部６６を効率良く伝搬し、ＡＥセンサ７０の検知面に効率良く入力されることとなる。
【００４９】
ＡＥセンサ７０の検知面に入力されたパルス電圧は、ＡＥセンサ７０の内部の図示していないＰＺＴ（チタン酸ジルコン酸鉛：Pb lead Zirconate Titante）により電気信号に変換され、その電気信号は本体ケース部６４に取り付けられた出力端子７４から取り出すことが可能になっている。なお、ＡＥセンサ７０を構成するＰＺＴには多くの種類があり、検出したいパルス電圧の周波数等に応じて、適切に選ぶことが可能である。
【００５０】
パルス電圧受電部６２の出力端子７４からの検知信号は、パルス電圧検知装置１８（図４（ａ）参照）に入力される。入力された検知信号は、アンプ１８ａにより増幅され、コンパレータ１８ｂにより閾値と比較される。そして、閾値よりも入力された検知信号が大きい場合は、ラッチ回路１８ｃにより論理“１”の信号が生成される。閾値よりも入力された検知信号が小さい場合は、論理“１”が生成されない。論理“１”が生成された場合は、それ以後の検知信号の流れは第１の実施の形態と同様である。また、本実施の形態の光ドロップケーブル識別システム６０の使用法は第１の実施の形態と同様である。
【００５１】
本実施の形態の光ドロップケーブルの識別システム６０によれば、支持線４２を伝搬するパルス電圧をＡＥセンサ７０で検知するように構成したので、簡単かつ安価な構成で然も感度良く、目的とする若しくは特定すべき光ドロップケーブル３８を素早く識別することが可能である。第１の実施の形態と同様に、従来技術で述べたようなアース接続して電気的な閉回路を構成する煩雑な作業を必要としないので、識別作業は簡単であり、作業者が１人で素早くかつ安全に作業することが可能である。
【００５２】
なお、本考案は、上述の実施の形態に限定されるものではなく、本考案の趣旨を逸脱しない範囲で種々の変更が可能である。例えば、光ドロップケーブルの支持線にパルス電圧を印加するのにコンタクトクリップ１４を用いているが、別の手段、例えば光ドロップケーブル３８の支持線を剥き出しにして鰐口クリップまたは蓑虫クリップ等を用いても良い。また、実施の形態において、パルス電圧付与装置１２、切換器１３、検知信号受信機２２は、それぞれ別体のものを示したが、これらが一体化されているものでも良い。同様に、パルス電圧検知装置１８、検知信号送信機２０も一体化されているものでも良い。
【符号の説明】
【００５３】
１０、６０  光ドロップケーブル識別システム
１２  パルス電圧付与装置
１３  切換器
１４  コンタクトクリップ
１６  導線
１８  パルス電圧検知装置
２０  検知信号送信機
２２  検知信号受信機
３２  光クロージャ
３３  吊り線
３４  電柱
３６  加入者宅
３８  光ドロップケーブル
４０  支持線部
４２  支持線
４４  光ケーブル部
４４ａ  光ファイバ心線
４４ｂ  テンションメンバ
４４ｃ  外被
４６  連結部
４８  ノッチ部
５０  光ファイバケーブル
５２  作業者
６２  パルス電圧受電部
６４  本体ケース部
６６  ベース部
６８  コイルスプリング
７０  ＡＥセンサ
７２  トグルクランプ部
７４  出力端子
【図１】
0003162313.tif 000003
【図２】
0003162313.tif 000004
【図３】
0003162313.tif 000005
【図４】
0003162313.tif 000006
【図５】
0003162313.tif 000007
【図６】
0003162313.tif 000008
【図７】
0003162313.tif 000009
【図８】
0003162313.tif 000010
【図９】
0003162313.tif 000011